【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
陽極と陰極と、前記陽極と前記陰極との間に配置され、発光層と有機機能層とを有する有機化合物層と、を有する有機発光素子であって、
前記有機機能層が、下記一般式（１）又は（２）に示される有機化合物と、仕事関数が４．４ｅＶ以上の遷移金属と、を有することを特徴とする、有機発光素子。
【化１】
2017107991.tif 000001
（式（１）において、Ｒ1及びＲ2は、それぞれ水素原子又はハロゲン原子、炭素原子数１以上８以下のアルキル基及び置換基を有していてもよいアリール基から選択される置換基を表す。Ａｒ1及びＡｒ2は、それぞれアルキル基、ハロゲン原子あるいは置換アミノ基を有してもよい芳香族炭化水素基又はアルキル基、ハロゲン原子あるいは置換アミノ基を有してもよい複素環基を表す。式（２）において、Ｒ3乃至Ｒ6は、それぞれ水素原子又はハロゲン原子、炭素原子数１以上８以下のアルキル基及び置換基を有していてもよいアリール基から選択される置換基を表す。Ａｒ3及びＡｒ4は、それぞれアルキル基、ハロゲン原子あるいは置換アミノ基を有してもよい芳香族炭化水素基又はアルキル基、ハロゲン原子あるいは置換アミノ基を有してもよい複素環基を表す。）
【請求項２】
前記芳香族炭化水素基が、フェニル基、ナフチル基及びアントリル基から選択される置換基であり、
前記複素環基が、ピリジル基、ビピリジル基、チオフェニル基及びカルバゾール基から選択される置換基であることを特徴とする、請求項１に記載の有機発光素子。
【請求項３】
前記芳香族炭化水素基が、フェニル基であり、
前記複素環基が、ピリジル基であることを特徴とする、請求項１又は２に記載の有機発光素子。
【請求項４】
前記芳香族炭化水素基が下記一般式（３）に示される置換基であることを特徴とする、請求項１乃至３のいずれか一項に記載の有機発光素子。
【化２】
2017107991.tif 000002
（式（３）において、＊は、窒素原子との結合手を表す。Ｒ11乃至Ｒ15は、それぞれ水素原子又はアルキル基を表す。）
【請求項５】
前記遷移金属が、Ａｇ、Ａｕ、Ｐｔ及びＣｕから選択される金属であることを特徴とする、請求項１乃至４のいずれか一項に記載の有機発光素子。
【請求項６】
陽極と陰極と、前記陽極と前記陰極との間に配置され、発光層と有機機能層とを有する有機化合物層と、を有する有機発光素子であって、
前記有機機能層が、下記一般式（１）又は（２）に示される有機化合物と、Ａｇ、Ａｕ、Ｐｔ及びＣｕから選択される遷移金属と、を有することを特徴とする、有機発光素子。
【化３】
2017107991.tif 000003
（式（１）において、Ｒ1及びＲ2は、それぞれ水素原子又はハロゲン原子、炭素原子数１以上８以下のアルキル基及び置換基を有していてもよいアリール基から選択される置換基を表す。Ａｒ1及びＡｒ2は、それぞれアルキル基、ハロゲン原子あるいは置換アミノ基を有してもよい芳香族炭化水素基又はアルキル基、ハロゲン原子あるいは置換アミノ基を有してもよい複素環基を表す。式（２）において、Ｒ3乃至Ｒ6は、それぞれ水素原子又はハロゲン原子、炭素原子数１以上８以下のアルキル基及び置換基を有していてもよいアリール基から選択される置換基を表す。Ａｒ3及びＡｒ4は、それぞれアルキル基、ハロゲン原子あるいは置換アミノ基を有してもよい芳香族炭化水素基又はアルキル基、ハロゲン原子あるいは置換アミノ基を有してもよい複素環基を表す。）
【請求項７】
前記有機機能層の全体に対する前記遷移金属の濃度が、０．１体積％以上５０体積％以下であることを特徴とする、請求項１乃至６のいずれか一項に記載の有機発光素子。
【請求項８】
前記有機機能層が、前記陽極又は前記陰極と接していることを特徴とする、請求項１乃至７のいずれか一項に記載の有機発光素子。
【請求項９】
前記有機機能層の厚さが１ｎｍ乃至１０ｎｍであることを特徴とする、請求項１乃至８のいずれか一項に記載の有機発光素子。
【請求項１０】
複数の画素を有し、前記複数の画素の少なくとも一つが、請求項１乃至９のいずれか一項に記載の有機発光素子と、前記有機発光素子に接続されている能動素子と、を有することを特徴とする、表示装置。
【請求項１１】
請求項１乃至９のいずれか一項に記載の有機発光素子と、前記有機発光素子に接続されているＡＣ／ＤＣコンバーターと、を有することを特徴とする、照明装置。
【請求項１２】
感光体と、前記感光体を露光する露光部と、前記感光体に現像剤を付与する現像器部と、を有する画像形成装置であって、
前記露光部が、請求項１乃至９のいずれか一項に記載の有機発光素子を複数有し、
複数の前記有機発光素子が、前記感光体の回転軸方向に沿って配列されていることを特徴とする、画像形成装置。
【手続補正２】
【補正対象書類名】明細書
【補正対象項目名】０００５
【補正方法】変更
【補正の内容】
【０００５】
本発明の有機発光素子は、陽極と陰極と、前記陽極と前記陰極との間に配置され、発光層と有機機能層とを有する有機化合物層と、を有する有機発光素子であって、
前記有機機能層が、下記一般式（１）又は（２）に示される有機化合物と、仕事関数が４．４ｅＶ以上の遷移金属と、を有することを特徴とする。
また、本発明の他の有機発光素子は、陽極と陰極と、前記陽極と前記陰極との間に配置され、発光層と有機機能層とを有する有機化合物層と、を有する有機発光素子であって、
前記有機機能層が、下記一般式（１）又は（２）に示される有機化合物と、Ａｇ、Ａｕ、Ｐｔ及びＣｕから選択される遷移金属と、を有することを特徴とする。
【手続補正３】
【補正対象書類名】明細書
【補正対象項目名】００２３
【補正方法】変更
【補正の内容】
【００２３】
［第二の実施形態］
図１は、本発明の有機発光素子における実施形態の例を示す断面模式図である。以下、図１を参照しながら本実施形態（第二の実施形態）について説明する。
図１の有機発光素子１は、基板１０の上に形成される陰極１１と、陰極１１の上に設けられる有機化合物層１２と、有機化合物層１２の上に設けられる陽極１８と、を有している。また図１の有機発光素子１を構成する有機化合物層１２は、基板１０側から順に、有機機能層１３、電子輸送層１４、発光層１５、正孔輸送層１６及び正孔注入層１７が積層されている積層体である。また図１の有機発光素子１には、陽極１８の上に、キャッピング層２０が設けられている。尚、図１の有機発光素子１は、基板１０側の電極を陰極１１としているが、本発明においては、陽極１８を基板１０側の電極としてもよい。陽極１８が基板１０側の電極である場合、有機化合物層１２の積層順として、例えば、基板１０側から、正孔注入層、正孔輸送層、発光層、電子輸送層、有機機能層としてもよい。
以下、図１に示されるように、陰極１１が基板１０側の電極である場合について説明する。尚、図１に示される構成はあくまでも有機発光素子の構成の一具体例であり、本発明はこの構成に限定されるものではない。
【手続補正４】
【補正対象書類名】明細書
【補正対象項目名】００３７
【補正方法】変更
【補正の内容】
【００３７】
図２の発光装置２は、図２（ｃ）に示されるように、基板１０と第一電極３１との間に、有機発光素子に電流を供給するためのトランジスタ３４が配置され、第一電極３１と接続されている。より具体的には、第一電極３１とトランジスタ３４のソース電極あるいはドレイン電極とが接続されている。また、トランジスタ３４の上には、トランジスタ３４の少なくとも一部を覆うように第一絶縁層３５と第二絶縁層３６とが形成されている。第一絶縁層３５及び第二絶縁層３６は、トランジスタ３４を設ける領域の少なくとも一部に開口部が形成されている。また、この開口部にて第一電極３１とトランジスタ３４とが接続されている。また、第三絶縁層３７は、少なくともこの開口部を覆うように形成されている。